(57)【要約】      （修正有）【課題】電力消費を極力無駄にすることなく、機器の電源供給が遮断された状態で発生した異常に対して当該機器の制御部が適切な判定をできるようにした機器監視装置を提供する。【解決手段】制御ユニット１００の主電源５０と異なるスタンバイ中動作電源５１により電源供給を受けて動作し、制御ユニットに対する電源供給が遮断された状態において、機器を監視して異常であることを検出し、その結果を表すスタンバイ中監視情報を保持する状態監視回路１０と、制御ユニットへの電源供給が復帰されたときに、制御ユニットとともに電源供給を受けて動作し、スタンバイ中監視情報を状態監視回路から制御ユニットにて取得可能な状態で引継いて保持するバッファ部として機能するアンド回路１５と、を有する。【選択図】図１
2018060350.tif 000002
【特許請求の範囲】
【請求項１】
機器を監視して異常であることを検出し、その結果を表す監視情報を前記機器において電源供給により動作する制御部に提供する機器監視装置であって、
前記制御部の電源と異なる電源により電源供給を受けて動作し、前記制御部に対する電源供給が遮断された状態において、前記機器を監視して異常であることを検出し、その結果を表すスタンバイ中監視情報を保持する状態監視部と、
前記制御部への電源供給が復帰されたときに、当該制御部とともに電源供給を受けて動作し、前記スタンバイ中監視情報を前記状態監視部から前記制御部にて取得可能な状態で引継いて保持するバッファ部とを有する機器監視装置。
【請求項２】
前記状態監視部は、前記機器において当該状態監視部とともに電源供給を受けて所定の動作を行うユニットを監視して異常であることを検出するユニット状態監視部を有する請求項１記載の機器監視装置。
【請求項３】
前記状態監視部は、前記制御部への電源供給が遮断された状態で機能するスタンバイ中動作電源を監視して異常であることを検出する電源状態監視部を有する請求項１または２記載の機器監視装置。
【請求項４】
機器を監視して異常であることを検出し、その結果を表す監視情報を前記機器において電源供給により動作する制御部に提供する機器監視方法であって、
前記制御部の電源と異なる電源により電源供給を受けて動作し、前記制御部に対する電源供給が遮断された状態において、前記機器を監視して異常であることを検出し、その結果を表すスタンバイ時監視情報を保持する状態監視部を動作させるステップと、
前記制御部への電源供給が復帰されたときに、当該制御部とともに電源供給を受けて動作し、前記スタンバイ中監視情報を前記状態監視部から前記制御部にて取得可能な状態で引継いて保持するバッファ部を動作させるステップとを有する機器監視方法。
【発明の詳細な説明】
【技術分野】
【０００１】
本発明は、電子機器等の機器を監視して異常であることを検出してその結果を表す監視情報を前記機器において電源供給により動作する制御部に提供する機器監視装置及び機器監視方法に関する。
【背景技術】
【０００２】
従来、例えば、特許文献１に記載される温度保護装置が提案されている。この温度保護装置は機器の監視装置として機能しており、当該機器の発熱部品を冷却する冷却ファンに流れる電流を監視し、その電流に基づいて異常であることを検出すると、異常検出信号を監視情報として当該機器の制御部であるマイクロコンピュータに提供する。この異常検出信号を取得したマイクロコンピュータは、その異常時の処理として、表示器に冷却ファンが異常である旨の情報を表示（報知）させ、また、当該機器の動作を停止させる。
【０００３】
このような温度保護装置（機器監視装置）によれば、例えば、冷却ファンがロックしてファンモータに過大電流が流れる状況では、即座にその異常を表す監視情報（異常検出信号）を機器の制御部（マイクロコンピュータ）に提供することができる。その結果、制御部（マイクロコンピュータ）は、その監視情報に基づいて、その異常に対処するための処理（例えば、警報表示、機器の動作停止等）を実行することができる。
【先行技術文献】
【特許文献】
【０００４】
【特許文献１】特開平６−２６１４４１号公報
【発明の概要】
【発明が解決しようとする課題】
【０００５】
ところで、電源供給が遮断されて機器が動作していない状況において、温度等の環境条件が機器の許容範囲を越えてしまう場合がある。例えば、車両が夏場の炎天下や極寒の冬季に長時間にわたって放置されていると、車載機器の温度条件がその許容温度範囲を越えてしまう場合がある。そのような状況を経過した車両が発進する際に温度条件が許容範囲内に戻っていると、その車両の発進時に電源供給を受ける監視装置は、車載機器の温度条件は正常として判断し、当該車載機器は電源供給を受けて正規の動作を行う。
【０００６】
しかしながら、上述したような状況では、車両が夏場の炎天下や極寒の冬季に放置されて車載機器の温度条件が許容温度条件を越えているときに車載機器の部品が劣化するおそれがある。このため、車両の発進時に温度条件が許容範囲内に戻って監視装置に正常であると判断された車載機器が正常に動作しない可能性がある。
【０００７】
このようなことを回避するために、車載機器に対する電源供給を常時維持しておき、車両が停車している状況であっても、監視装置の異常検出機能、及び監視装置による異常検出時における制御部での対応処理の機能を有効にしておくことが考えられる。しかしながら、このように車載機器に対する電源供給を常時維持しておくと、車載機器での暗電流が増大して、電力消費の無駄が発生する。
【０００８】
本発明は、このような事情に鑑みてなされたもので、電力消費を極力無駄にすることなく、機器の電源供給が遮断された状態で発生した異常に対して当該機器の制御部が適切な判定をできるようにした機器監視装置及び機器監視方法を提供するものである。
【課題を解決するための手段】
【０００９】
本発明に係る機器監視装置は、機器を監視して異常であることを検出し、その結果を表す監視情報を前記機器において電源供給により動作する制御部に提供する機器監視装置であって、前記制御部の電源と異なる電源により電源供給を受けて動作し、前記制御部に対する電源供給が遮断された状態において、前記機器を監視して異常であることを検出し、その結果を表すスタンバイ中監視情報を保持する状態監視部と、前記制御部への電源供給が復帰されたときに、当該制御部とともに電源供給を受けて動作し、前記スタンバイ中監視情報を前記状態監視部から前記制御部にて取得可能な状態で引継いて保持するバッファ部とを有する構成となる。
【００１０】
このような構成により、機器において制御部に対する電源供給が遮断された状態において、前記制御部の電源と異なる電源により電源供給を受ける機器監視部は、機器を監視して異常であることを検出すると、その結果を表すスタンバイ中監視情報を保持する。その後、制御部に対する電源供給が復帰すると、該制御部とともに電源供給を受けてバッファ部が前記スタンバイ中監視情報を前記情報監視部から引継いで保持する。電源供給を受ける前記制御部は前記バッファ部に保持されたスタンバイ中監視情報を取得することができる。
【００１１】
本発明に係る機器監視装置において、前記状態監視部は、前記機器において当該状態監視部とともに電源供給を受けて所定の動作を行うユニットを監視して異常であることを検出するユニット状態監視部を有する構成とすることができる。
【００１２】
このような構成により、機器において制御部への電源供給が遮断された状態で、ユニット状態監視部は、前記制御部の電源と異なる電源により電源供給を受けて、例えば、バックグラウンド処理等の所定の動作を行うユニットを監視し、異常であることを検出すると、その結果を表すスタンバイ中監視情報を保持する。
【００１３】
本発明に係る機器監視装置において、前記状態監視部は、前記制御部への電源供給が遮断された状態で機能するスタンバイ中動作電源を監視して異常であることを検出する電源状態監視部を有する構成となる。
【００１４】
このような構成により、電源状態監視部は、機器において制御部への電源供給が遮断された状態で機能する、例えば、バックグラウンド処理や、当該機器監視装置に利用されるスタンバイ中動作電源を監視し、異常であることを検出すると、その結果を表すスタンバイ中監視情報を保持する。
【００１５】
本発明に係る機器監視方法は、機器を監視して異常であることを検出し、その結果を表す監視情報を前記機器において電源供給により動作する制御部に提供する機器監視方法であって、前記制御部の電源と異なる電源により電源供給を受けて動作し、前記制御部に対する電源供給が遮断された状態において、前記機器を監視して異常であることを検出し、その結果を表すスタンバイ時監視情報を保持する状態監視部を動作させるステップと、前記制御部への電源供給が復帰されたときに、当該制御部とともに電源供給を受けて動作し、前記スタンバイ中監視情報を前記状態監視部から前記制御部にて取得可能な状態で引継いて保持するバッファ部を動作させるステップとを有する構成となる。
【発明の効果】
【００１６】
本発明に係る機器監視装置及び機器監視方法によれば、機器の制御部に対する電源供給が遮断されている状況において、別電源による電源供給を受ける機器監視部が機器の異常を検出した結果を表すスタンバイ中監視情報を保持し、前記制御部に対する電源供給が復帰したときに、前記スタンバイ中監視情報を制御部がバッファ部を介して取得することができる。従って、機器の制御部に対して常時電源供給せずに消費電力を極力無駄にすることなく、制御部は、電源供給が遮断されているときに発生した機器の異常について、電源供給が復帰した後に、適正に判定することができる。
【図面の簡単な説明】
【００１７】
【図１】本発明の実施の一形態に係る機器監視装置の回路構成を示す図である。
【図２】図１に示す機器監視装置の動作手順を示すタイミングチャートである。
【図３】本発明の実施の一形態に係る機器監視装置における状態監視部の他の回路構成例を示す図である。
【図４】図３に示す状態監視部における複数の監視デバイスの出力と、該出力に応じた制御ユニットでの判定結果との関係を表すテーブルを示す図である。
【発明を実施するための形態】
【００１８】
本発明の実施の形態について図面を用いて説明する。
【００１９】
本発明の実施の一形態に係る機器監視装置は、図１に示すように構成される。この機器監視装置は、例えば、車両に搭載され、車載機器を監視してその異常を検出する。
【００２０】
図１において、車載機器は、ＭＰＵ（マイクロプロセッサユニット）等で構成された制御ユニット１００と、車載機器において所定の処理を行なう処理ユニット１１０とを有している。制御ユニット１００は、車載機器全体への電源供給を行う主電源５０による電源供給（Ｖcc）を受けて処理ユニット１１０の制御処理等、各種制御処理を行なう。処理ユニット１１０は、制御ユニット１００の制御のもと、主電源５０による電源供給（Ｖcc）を受けて所定の定常処理を実行する他、車両のＡＣＣスイッチがオフされた駐車時等、主電源５０による車載機器全体への電源供給が遮断された状況（スタンバイ中）において、スタンバイ中動作電源５１による電源供給（ＶBack）を受けて前記定常処理に関連したバックグラウンド処理行う。
【００２１】
車両に搭載された機器監視装置は、状態監視回路１０（状態監視部）と、バッファ部として機能するアンド回路１５とを備えている。状態監視回路１０（ユニット状態監視部）は、車載機器の処理ユニット１１０を監視対象としており、スタンバイ中動作電源５１による電源供給（Ｖcc）を受けて、処理ユニット１１０の監視を行う。具体的には、状態監視回路１０は、監視デバイス１２と、処理ユニット１１０に設けられた温度検出素子であるサーミスタ１４を含む温度検出回路とを有している。温度検出回路は、スタンバイ中動作電源５１の電圧を抵抗器１３とサーミスタ１４とで分圧して得られる温度検出電圧を監視デバイス１２の入力端子ＩＮに供給する。監視デバイス１２は、低消費電力のラッチ型のＩＣデバイスであって、入力端子ＩＮに入力する温度検出電圧が低下して基準電圧以下となったときに、通常Ｌ（ロー）レベルの状態にある出力端子ＯＵＴの信号をＨ（ハイ）レベルの状態に切り換えて、その状態を維持（ラッチ）する。この出力端子ＯＵＴの信号の状態（Ｈ／Ｌ）が処理ユニット１１０（監視対象デバイス）の監視結果を表す監視情報となる。なお、監視デバイス１２は、クリア端子（ＣＬＲ）に信号（Ｈレベル）が入力したときに、ラッチされた出力端子ＯＵＴの信号の状態をＨ（ハイ）レベルからＬ（ロー）レベルに戻す。
【００２２】
サーミスタ１４として、例えば、負特性サーミスタが用いられ、温度が高くなるほどその抵抗値が低下する。よって、処理ユニット１１０（監視対象デバイス）の温度が高くなるほど、サーミスタ１４の抵抗値が低下して、温度検出電圧が低下する。そして、その温度検出電圧が、処理ユニット１１の許容される最大温度に対応した前記基準電圧以下になると、監視デバイス１２の出力端子ＯＵＴの信号の状態がＬ（ロー）レベルからＨ（ハイ）レベルに切換る。
【００２３】
バッファ部として機能するアンド回路１５は主電源５０による電源供給により動作する。アンド回路１５の全ての入力端子が監視デバイス１２の出力端子ＯＵＴに接続されており、監視デバイス１２の出力端子ＯＵＴの信号の状態がそのままアンド回路１５の出力端子の信号に引き継がれる。アンド回路１５の出力端子は、制御ユニット１００の入力端子ＧＰＩＯ（ＩＮＰＵＴ）に接続され、制御ユニット１００は、アンド回路１５の出力端子の信号（監視情報）を取得することができる。なお、制御ユニット１００の出力端子ＧＰＩＯ（ＯＵＴＰＵＴ）は、前述した監視デバイス１２のクリア端子（ＣＬＲ）に接続されており、制御ユニット１００の出力端子ＧＰＩＯ（ＯＵＴＰＵＴ）からの信号で監視デバイス１２の出力端子ＯＵＴの信号の状態をＨ（ハイ）レベルからＬ（ロー）レベルにリセットすることができる。
【００２４】
上述した機器監視装置は、例えば、図２に示すタイミングチャートで表されるタイミングに従って動作する。
【００２５】
車両のＡＣＣスイッチがオフされて主電源５０による車載機器（制御ユニット１００、処理ユニット１１０を含む）への電源供給が遮断され（タイミングｔ１）、制御ユニット１００の動作が停止した状態において、スタンバイ中動作電源５１によって電源供給を受ける監視デバイス１２は、処理ユニット１１０に設けられたサーミスタ１４の端子間電圧に対応した温度検出電圧Ｖｓを順次入力端子ＩＮから取り込む。そして、その温度検出電圧Ｖｓが正常な温度範囲対応した範囲にある状況では、監視デバイス１２は、出力端子ＯＵＴの信号を、正常を表す監視情報であるＬ（ロー）レベルの状態に維持する。なお、このとき、処理ユニット１１０は、主電源５０に代えてスタンバイ中動作電源５１による電源供給を受けて、バックグラウンド処理を実行している。
【００２６】
何らかの原因（外気温の上昇、処理ユニット１１０の故障等）で、バックグラウンド処理を実行する処理ユニット１１０の温度Ｔｓ（監視温度）が上昇すると、サーミスタ１４の抵抗値が低下し、それに伴って温度検出電圧Ｖｓが低下する。そして、更に温度上昇が続いて処理ユニット１１０の温度Ｔｓが許容温度Ｔth以上になり、温度検出電圧Ｖｓが基準電圧Ｖth以下になると（タイミングｔ２）、監視デバイス１２は、出力端子ＯＵＴの信号を、異常を表す監視情報（スタンバイ中監視情報）であるＨ（ハイ）レベルの状態に切り換える。この時点で、アンド回路１５には電源供給（主電源５０）がなされておらず、監視デバイス１２の出力端子ＯＵＴの信号を、アンド回路１５が制御ユニット１００へ出力することはない。これは、スタンバイ中に制御ユニット１００は動作しておらず、そのときに入力端子ＧＰＩＯ（ＩＮＰＵＴ）へＨ（ハイ）レベルが入力されると、制御ユニット１００が故障する可能性があるためである。その後、処理ユニット１１０の温度Ｔｓが下降して、許容温度Ｔthを下回り、処理ユニット１１０の温度Ｔｓが正常な温度範囲内になっても（タイミングｔ３）、監視デバイス１２は、出力端子ＯＵＴの信号を、異常を表す監視情報であるＨ（ハイ）レベルの状態に維持する（ラッチ）。
【００２７】
その後、車両が発進する際にＡＣＣスイッチがオンされて、主電源５０による車載機器に対する電源供給が復帰する（タイミングｔ４）と、主電源５０による電源供給を受けて制御ユニット１００の動作が再開されるとともに、アンド回路１５が有効になる。すると、アンド回路１５は、監視デバイス１２の出力端子ＯＵＴの信号の状態（スタンバイ中監視情報）を引継ぎ、出力端子の信号の状態をＨ（Ｈレベル）にする。動作を開始した制御ユニット１００は、電源供給復帰後の所定の処理を終了した後の所定のタイミング（ｔ５）において、アンド回路１５の出力端子の信号の状態（Ｈレベル）を取り込む。そして、制御ユニット１００は、取り込んだその信号の状態（スタンバイ中監視情報）に基づいて、主電源５０が遮断されている期間（スタンバイ期間）において、処理ユニット１１０が許容温度以上に過熱されて異常な状態であったと判定し、異常発生時の処理を行なう。例えば、制御ユニット１００は、処理ユニット１１０が許容温度以上になったことを表す警報メッセージを表示部に表示させ、また、主電源５０が遮断されている期間に処理ユニット１１０のバックグラウンド処理にて得られた情報を破棄する、あるいは、処理ユニット１１０の動作を停止させる等の異常発生時の処理を行なう。
【００２８】
なお、処理ユニット１００は、アンド回路１５の出力端子の信号の状態（スタンバイ中監視情報）を取得した後（タイミングｔ５の後）、適当なタイミング（例えば、次に主電源５０による電源供給が遮断される前）に、出力端子ＧＰＩＯ（ＯＵＴＰＵＴ）からクリア信号を出力する。そのクリア信号により、監視デバイス１２の出力端子ＯＵＴの信号の状態がＨ（ハイ）レベルからＬ（ロー）レベルに切り換えられる。
【００２９】
上述したような機器監視装置によれば、制御ユニット１００を含む車載機器に対する主電源５０による電源供給が遮断されている状況において、主電源５０以外の別に設けられたスタンバイ中動作電源５１による電源供給を受ける監視デバイス１２（機器監視回路１０）が処理ユニット１１０を監視してその異常を検出し、その結果を表す情報として、出力端子ＯＵＴの信号の状態をＨ（ハイ）レベルに保持する。そして、車載機器に対する主電源５０による電源供給が復帰したときに、その主電源５０による電源供給を受ける制御ユニット１００は、監視デバイス１２の出力端子ＯＵＴのＨ（ハイ）レベルとなる信号の状態（スタンバイ中監視情報）を、主電源５０による電源供給を受けて有効となるアンド回路１５を介して取得することができる。従って、車載機器（制御ユニット１００を含む）に電源供給を行う主電源５０を常時有効にしておかずに駐車時等に遮断状態にしても、制御ユニット１００は、車載機器の主電源５０が遮断されているときに発生した処理ユニット１１０の異常過熱について、主電源５０による電源供給が復帰した後に、適正に判定することができる。よって、状態監視回路１０を、低消費電力に抑えるために最小限の機能に限定し、スタンバイ中電源５１による動作とすることで、車載機器での無駄な消費電力を抑えることができる。
【００３０】
前述した機器監視装置における状態監視回路１０（状態監視部）は、図１に示す構成に代えて、図３に示すように構成することができる。この構成の状態監視回路１０は、スタンバイ中動作電源５１による電源供給を受けて当該スタンバイ中動作電源５１の複数の項目についての監視を行う。
【００３１】
図３において、この状態監視回路１０は、第１監視デバイス１２１、第２監視デバイス１２２、第３監視デバイス１２３、第４監視デバイス１２４及び第５監視デバイス１２５の５つの監視デバイスを有する。図示はしていないが、第１監視デバイス１２１〜第５監視デバイス１２５のそれぞれはスタンバイ中動作電源５１による電源供給により動作する。また、各監視デバイス１２１〜１２５においては、ＯＶ通知出力及びＵＶ通知出力のそれぞれは、Ｈレベルとなるとラッチされ、ＣＬＲ端子（図示略）にＨレベル信号が入力されたときに、ラッチされた出力ＨレベルからＬレベルに戻る。
【００３２】
第１監視デバイス１２１は、スタンバイ中動作電源５１の出力電圧変動（電源変動）を監視しており、スタンバイ中動作電源５１の電圧を抵抗器１６と抵抗器１７とによって分圧して得られる第１検出電圧が入力端子ＩＮに入力する。スタンバイ中電源５１の電圧変動を監視するのは、後述するように、動作温度を監視する第２監視デバイス１２２及び第３監視デバイス１２３の異常検出に影響を与えるからである。スタンバイ中電源５１は、電源デバイスにより生成されており、その出力電圧範囲は仕様により規定されている。この出力電圧範囲が正常であることを前提として、各監視デバイス１２１〜１２５の異常検出機能は設計されている。例えば、第２監視デバイス１２２は、製品内部温度が高温異常となった場合にのみ、入力電圧が異常閾値を下回ることで異常検出が可能となるべきである。しかし、実際には、温度が正常であってもスタンバイ中電源５１の電圧が低下した場合にも、その電源電圧が異常閾値を下回り、異常検出がなされてしまう。また、第２監視デバイス１２２だけの異常通知だけでは、高温異常が発生したのか、電圧低下が発生したのかの区別がつかない。これは、第３監視デバイス１２３についても同様である。第１監視デバイス１２１は、スタンバイ中電源５１の電圧値が正常であるか否かを監視し、スタンバイ中に発生する可能性がある異常の内容を確認するために必要となる。
【００３３】
具体的には、第１検査電圧が正常範囲にある場合、スタンバイ中動作電源５１の電圧値が正常範囲にあるとして、第１監視デバイス１２１は、ＯＶ通知出力及びＵＶ通知出力をともにＬレベルに維持する。第１検査電圧が正常範囲を越える場合、スタンバイ中動作電源５１の電圧値も正常範囲を越えて高電圧方向に異常であるとして、第１監視デバイス１２１は、ＯＶ通知出力をＨレベルにラッチする。このとき、ＵＶ通知出力はＬレベルに維持される。また、第１検査電圧が正常範囲を下回る場合、スタンバイ中動作電源５１の電圧値も正常範囲を下回って低電圧方向に異常であるとして、第１監視デバイス１２１は、ＵＶ通知出力をＨレベルにラッチする。このとき、ＯＶ通知出力はＬレベルに維持される。
【００３４】
第２監視デバイス１２２は、スタンバイ中動作電源５１による電源供給を受けて動作する処理ユニット１１０（監視対象デバイス：図１参照）の動作温度が許容上限温度max以上であるか否かを監視しており、スタンバイ中動作電源５１の電圧を抵抗器１８と処理ユニット１１０に設けられたサーミスタ１９（負特性サーミスタ）とによって分圧して得られる第１温度検出電圧を入力する。第２監視デバイス１２２のＯＶ通知出力及びＵＶ通知出力のそれぞれはＨレベルにラッチ可能である。第２監視デバイス１２２は、前記第１温度検出電圧が前記許容上限温度maxに対応した下限基準電圧を越えていると、正常であるとして、ＯＶ通知出力をＨレベルの状態にする。このとき、ＵＶ通知出力はＬレベルである。一方、前記第１温度検出電圧が前記下限基準電圧以下であると、第２監視デバイス１２２は、異常であるとして、ＯＶ通知出力をＨレベルに維持しつつ、ＵＶ通知出力をＨレベルにラッチする。
【００３５】
第３監視デバイス１２３は、スタンバイ中動作電源５１による電源供給を受けて動作する処理ユニット１１０（監視対象デバイス：図１参照）の動作温度が許容下限温度min以下であるか否かを監視しており、スタンバイ中動作電源５１の電圧を抵抗器２０とスタンバイ中動作電源５１に設けられたサーミスタ２１（負特性サーミスタ）とによって分圧して得られる第２温度検出電圧を入力する。第３監視デバイス１２２のＯＶ通知出力及びＵＶ通知出力のそれぞれはＨレベルにラッチ可能である。第３監視デバイス１２３は、前記第１温度検出電圧が前記許容下限温度minに対応した上限基準電圧（＞下限基準電圧）を下回っていると、正常であるとして、ＵＶ通知出力をＨレベルの状態にする。このとき、ＯＶ通知出力はＬレベルである。一方、前記第１温度検出電圧が前記上限基準電圧以上であると、第３監視デバイス１２３は、異常であるとして、ＵＶ通知出力をＨレベルに維持しつつ、ＯＶ通知出力をＨレベルにラッチする。
【００３６】
第４監視デバイス１２４は、スタンバイ中動作電源５１による電源供給を受けて動作する処理ユニット（監視対象デバイス：図１参照）の入力電圧ＶBackを監視対象としている。具体的には、第４監視デバイス１２４は、処理ユニット１１０に対する入力電圧Ｖbackが許容上限電圧max以上であるか否かを監視しており、スタンバイ中動作電源５１の電圧を抵抗器２２と抵抗器２３とによって分圧して得られる第２検出電圧を入力する。この第４監視デバイス１２４の第１監視デバイス１２１との違いは、異常検出閾値である。第１監視デバイス１２１は、スタンバイ中動作電源５１の電圧変動を監視しており、異常と検出される電圧範囲は狭い。一方、第４監視デバイス１２４は、監視対象となる処理ユニット１１０の動作保証電圧を対象にして異常を検出する。通常、第１監視デバイス１２１の異常検出範囲より、第４監視デバイス１２４と後述する第５監視デバイス１２５とによる異常検出範囲のほうが広くなる。また、第１監視デバイス１２１が異常を検出したときに、第４監視デバイス１２４も異常を検出するとは限らず、この差により、スタンバイ中に発生する可能性がある異常の内容を正確に確認することが可能となる。第４監視デバイス１２４は、前記第２検出電圧が許容される電圧範囲（動作保証電圧範囲）の上限基準電圧maxに達していなければ、正常であるとして、ＵＶ通知出力をＨレベルにラッチする。このとき、ＯＶ通知出力はＬレベルである。一方、前記第２検出電圧が前記上限基準電圧max以上であると、第４監視デバイス１２４は、異常であるとして、ＵＶ通知出力をＨレベルに維持しつつ、ＯＶ通知出力をＨレベルにラッチする。
【００３７】
第５監視デバイス１２５は、第４監視デバイス１２４と同様に、スタンバイ中動作電源５１による電源供給を受けて動作する処理ユニット１１０（監視対象デバイス：図１参照）の入力電圧Ｖbackを監視対象としている。具体的には、第５監視デバイス１２５は、処理ユニット１１０に対する入力電圧Ｖbackが許容下限電圧min以下であるか否かを監視しており、スタンバイ中動作電源５１の電圧を抵抗器２４と抵抗器２５とによって分圧して得られる第３検出電圧を入力する。この第５監視デバイス１２５も、上述した第４監視デバイス１２４と同様に、監視対象となる処理ユニット１１０の動作保証電圧を対象にして異常を検出する。前述したように、通常、第１監視デバイス１２１の異常検出範囲より、第４監視デバイス１２４と第５監視デバイス１２５とによる異常検出範囲のほうが広く、第１監視デバイス１２１が異常を検出したときに、第４監視デバイス１２４の場合と同様、第５監視デバイス１２５も異常を検出するとは限らず、この差により、スタンバイ中に発生する可能性がある以上の内容を正確に確認することが可能となる。第５監視デバイス１２５は、前記第３検出電圧が許容される電圧範囲（動作保証電圧範囲）の下限基準電圧minを越えていれば、正常であるとして、ＯＶ通知出力をＨレベルにラッチする。このとき、ＵＶ通知出力はＬレベルにある。一方、前記第３検出電圧が前記下限基準電圧min以下であると、第５監視デバイス１２５は、異常であるとして、ＯＶ通知出力をＨレベルに維持しつつ、ＵＶ通知出力をＨレベルにラッチする。
【００３８】
上述したような構成の機器監視装置における第１監視デバイス１２１〜第５監視デバイス１２５のそれぞれのＯＶ通知出力（監視情報）及びＵＶ通知出力（監視情報）は、アンド回路１５のようなバッファ部を介して制御ユニット１００に供給される。そして、制御ユニット１００は、動作開始時に、各監視デバイス１２１〜１２５からのＯＶ通知出力及びＵＶ通知出力の状態に応じて、車載機器におけるスタンバイ中動作電源５１の状態を考慮しつつ監視対象の処理ユニット１１０の種々の状態を判定することができる。例えば、図４において動作開始判定が「ＯＫ」の場合のように、第１監視デバイス１２１（電源変動検出）の監視情報が正常を表し、第２監視デバイス１２２（動作温度max）のＯＶ通知出力がＨレベル、第３監視デバイス１２３（動作温度min）のＵＶ通知出力がＨレベル、第４監視通知デバイス１２４（動作電圧max）のＵＶ通知出力がＨレベル、及び第５監視通知デバイス１２５（動作電圧min）のＯＶ通知出力がＨレベルのとき、制御ユニット１００は、正常に動作するスタンバイ中動作電源５１による電源供給を受けて動作する処理ユニット１１０が正常であると判定し、通常の電源立ち上げシーケンスを実施する。
【００３９】
また、図４において動作開始判定が「ＮＧ」の各場合には、制御ユニット１００は、スタンバイ中に監視対象の処理ユニット１１０に対する何らかの異常があったと判定し、異常発生時の処理を行なう。例えば、制御ユニット１００は、処理ユニット１１０が許容温度以上になったことを表す警報メッセージを表示部に表示させ、また、主電源５０が遮断されている期間に処理ユニット１１０のバックグラウンド処理にて得られた情報を破棄する、あるいは、処理ユニット１１０の動作を停止させる等の異常発生時の処理を行なう。
図４において動作開始判定が「△１」の場合、電源変動により正常が異常として判定されている可能性がある。この場合、制御ユニット１００は、通常スタンバイから復帰したときに行う立ち上げ動作を開始させる前に、デバイス異常を１つずつ確認する専用シーケンスを実施する。また、図４において動作開始判定が「△２」の場合、電源変動により異常が正常として判定されている可能性がある。この場合も、制御ユニット１００は、通常スタンバイから復帰したときに行う立ち上げ動作を開始させる前に、デバイス異常を１つずつ確認する専用シーケンスを実施する。
【００４０】
状態監視回路１０（状態監視部）を図３に示すように構成すれば、機器の詳細な異常の検出が可能となり、検出した状態に応じて対応を変えることができる。また、その検出可能な種類も増えることになる。
【産業上の利用可能性】
【００４１】
本発明に係る機器監視装置及び機器監視方法は、電力消費を極力無駄にすることなく、機器の電源供給が遮断された状態で発生した異常に対して当該機器の制御部が適切な判定をできるという効果を有し、電子機器等の機器を監視して異常であることを検出してその結果を表す監視情報を前記機器において電源供給により動作する制御部に提供する機器監視装置及び機器監視方法として有用である。
【符号の説明】
【００４２】
１０  状態監視回路
１２  監視デバイス
１２１  第監視デバイス
１２２  第２監視デバイス
１２３  第３監視デバイス
１２４  第４監視デバイス
１２５  第５監視デバイス
１３、１６、１７、１８、２０、２２、２３、２４、２５  抵抗器
１４、１９、２１  サーミスタ
１５  アンド回路
５０  主電源
５１  スタンバイ中動作電源
１００  制御ユニット
１１０  処理ユニット
【図１】
2018060350.tif 000003
【図２】
2018060350.tif 000004
【図３】
2018060350.tif 000005
【図４】
2018060350.tif 000006